(57)【要約】【課題】専用の信号線を省略して照明器具の光出力を制御することができる照明装置を提供する。【解決手段】放電ランプ７およびこの放電ランプに始動電圧を印加する始動回路５ａを有する照明器具５と；この照明器具に電力を供給すると共に、制御信号を始動回路に伝送する負荷線４を介して接続された電力を供給すると共に、点灯装置３と；を具備している。【選択図】  図１
2009021056.tif 000002
【特許請求の範囲】
【請求項１】
放電ランプおよびこの放電ランプに始動電圧を印加する始動回路を有する照明器具と；
この照明器具に電力を供給すると共に、制御信号を始動回路に伝送する負荷線を介して前記照明器具に接続された点灯装置と；
を具備していることを特徴とする照明装置。
【請求項２】
前記点灯装置は、印加電圧を変化させることで前記制御信号を始動回路に伝送することを特徴とする請求項１記載の照明装置。
【請求項３】
前記照明器具は、前記始動回路からの始動電圧の出力をオンオフ制御するオンオフ制御手段を具備していることを特徴とする請求項１または２記載の照明装置。
【請求項４】
照明器具を昇降させる昇降装置と、この照明器具の始動回路に対して負荷線側に配設された可動側接点およびこの可動側接点と離反可能に接触して照明器具の降下時に離反する固定側接点と、を具備していることを特徴とする請求項１ないし３のいずれか一記載の照明装置。
【請求項５】
前記照明器具は、放電ランプの装着の有無を検出するランプ検出手段を具備していることを特徴とする請求項１ないし４のいずれか一記載の照明装置。
【発明の詳細な説明】
【技術分野】
【０００１】
本発明は、電力線搬送方式を使用して照明負荷を制御する照明装置に関する。
【背景技術】
【０００２】
従来、この種の電力線搬送方式を使用した照明装置の一例としては、工場や体育館、アリーナ等高い天井に複数配設される照明器具を昇降可能に構成したものが知られている（例えば、特許文献１参照）。
【０００３】
この照明装置は、照明器具と電力線で接続される電力線搬送コントローラを具備しており、このコントローラは、電力線を介して制御信号を伝送して照明器具に取り付けられた照明負荷のオン／オフや調光等を制御するようになっている。
【特許文献１】特開平７−１７６２０６号公報
【発明の開示】
【発明が解決しようとする課題】
【０００４】
ところで、照明負荷が、例えばＨＩＤランプ（Ｈｉｇｈ  Ｉｎｔｅｎｓｉｔｙ  Ｄｉｓｃｈａｒｇｅ  Ｌａｍｐｓ）等の高圧放電ランプである場合には、その始動の際に、照明負荷に対し高圧の始動電圧を与える始動回路が必要になる。
【０００５】
この場合には、照明装置は照明負荷、照明負荷に高圧始動電圧を与える始動回路、照明負荷の点消灯を制御する点灯装置から構成される。
【０００６】
このような照明装置を天井等に取り付ける場合、従来は比較的重量のある点灯装置を別体とし、始動回路と照明負荷からなる照明器具を天井に配設し、点灯装置と照明器具を負荷線および信号線で接続していた。
【０００７】
なお、始動回路と照明負荷が離れると、始動回路で発生させた高圧始動電圧が減衰するため、始動回路を点灯装置から分離して照明負荷側に配設していた。
【０００８】
ここで、負荷線は点灯装置から照明器具へ電力を供給する電力線であり、信号線は点灯装置から照明器具へ制御信号を伝送する伝送線である。
【０００９】
しかしながら、上記特許文献１の技術では、コントローラから照明器具までは専用の信号線を必要としないが、照明負荷が高圧始動電圧を必要とする上記従来例の場合には、点灯装置と照明器具との間に専用の信号線を必要とし、点灯装置と照明器具との距離が離れる程信号線の長さを長くする必要があり、施工が煩雑になると共にコストが増大していた。
【００１０】
本発明はこのような事情を考慮してなされたもので、その目的は、専用の信号線を省略して照明器具を制御することができる照明装置を提供することにある。
【課題を解決するための手段】
【００１１】
請求項１に係る照明装置は、放電ランプおよびこの放電ランプに始動電圧を印加する始動回路を有する照明器具と；この照明器具に電力を供給すると共に、制御信号を始動回路に伝送する負荷線を介して前記照明器具に接続された点灯装置と；を具備していることを特徴とする。
【００１２】
なお、本請求項１以下において、負荷線とは点灯装置から始動回路に所要の電力を供給する電力線であり、点灯装置から始動回路に与えられる制御信号を伝送する信号線としても共用される。また、点灯装置から始動回路に伝送される制御信号の送出と、電力の供給は同時でもそれぞれ異なるタイミングで行なってもよい。
【００１３】
請求項２に係る照明装置は、前記点灯装置は、印加電圧を変化させることで前記制御信号を始動回路に伝送することを特徴とする。
【００１４】
本請求項２以下において、制御信号とは、始動回路に対し放電ランプに印加する始動電圧を発生させる信号等である。
【００１５】
請求項３に係る照明装置は、前記照明器具は、前記始動回路からの始動電圧の出力をオンオフ制御するオンオフ制御手段を具備していることを特徴とする。なお、オンオフ制御手段とは、手動または自動制御でもよく、例えば始動電圧を印加後、タイマが所定時間の経過を計時したときに、始動回路からの始動電圧の出力を停止させてもよい。この場合には、点灯後、または所定時間の始動電圧の印加により点灯しなかったときに、この始動電圧の出力を停止させるように構成してもよい。または、照明器具に放電ランプが装着されていないことを、ランプ検出手段により検出したときに、始動回路からの始動電圧を発生させないようにしてもよい。
【００１６】
請求項４に係る照明装置は、前記照明器具は、前記放電ランプを備えた照明器具本体を昇降させる昇降装置と、この照明器具本体側に配設された可動側接点およびこの可動側接点と離反可能に接触して照明器具本体の降下時に離反する固定側接点と、を具備していることを特徴とする。
【００１７】
請求項５に係る照明装置は、前記放電ランプの装着の有無を検出するランプ検出手段を具備していることを特徴とする。
【発明の効果】
【００１８】
請求項１に係る照明装置によれば、点灯装置から始動回路を分離し、負荷線を介して制御信号を伝送させることができるので、専用の信号線を省略することができる。
【００１９】
請求項２に係る照明装置によれば、印加電圧の変化で制御信号を伝送するので、点灯装置の制御信号を生成する回路を簡単に構成することができる。
【００２０】
請求項３に係る照明装置によれば、照明器具側のオンオフ制御手段により、始動回路から出力される始動電圧の出力をオンまたはオフすることができる。
【００２１】
請求項４に係る照明装置によれば、可動側接点および固定側接点を始動回路に対して負荷線側に設けたので、これら接点に始動電圧がかかることがない。
【００２２】
請求項５に係る照明装置によれば、ランプ検出手段により、放電ランプの装着の有無を判別することができる。
【発明を実施するための最良の形態】
【００２３】
以下、本発明の実施形態を図１に基づいて説明する。
【００２４】
図１は本発明の一実施形態に係る照明装置の全体構成を示すブロック図である。この図１に示すように照明装置１は、商用交流電源２に接続された点灯装置３と、この点灯装置３に例えば単相２線の電力線である負荷線４に接続された照明器具５と、この照明器具５に配設されたＨＩＤランプ等の高圧放電ランプ７と、を具備している。
【００２５】
点灯装置３は、商用交流電源２からの商用交流電力を放電ランプ７の点灯に必要な電力に変換する図示しない電源装置と主制御装置３ａとを具備している。
【００２６】
主制御装置３ａは操作器８により操作されたランプ点灯操作や同消灯操作、調光操作等、種々の操作に応じて放電ランプ７を点灯（始動）させるための点灯信号や消灯させるための消灯信号、その調光度を制御するための調光信号等の制御信号を生成し、さらに、これら制御信号を、所定の高周波の搬送波に重畳して負荷線４へ出力し、照明器具５へ搬送させる電力線搬送機能を有する。
【００２７】
また、主制御装置３ａは、点灯信号の送出と同時、またはその送出後、必要に応じて点灯に必要な電力を負荷線４へ出力させる機能を有する。また、負荷線４を介して照明器具５側から搬送されてくる後述するランプ装着検出信号やランプ不点灯検出信号等の検出信号を受信する双方向通信機能を有する。
【００２８】
さらに、主制御装置３ａは、ランプ未装着検出信号とランプ不点灯検出信号を受信したときに、これら検出信号の受信を図示しない表示器に表示する一方、照明器具５への給電を停止させる機能を有する。
【００２９】
照明器具５は、その照明器具本体に配設したＨＩＤランプ等の上記高圧放電ランプ７の外に、負荷線４に接続された始動回路５ａ、副制御装置５ｂおよびランプ装着検出回路５ｃを具備している。
【００３０】
始動回路５ａは点灯装置３から負荷線４を介して点灯信号を受信したときに、放電ランプ７を点灯させるために必要な始動電圧である高圧パルスを放電ランプ７に所要時間与え、点灯させるようになっている。
【００３１】
始動回路５ａには、その高圧パルスの出力を手動操作等によりオンオフ制御するオンオフスイッチ５ａ１を具備している。このオンオフスイッチ５ａ１は照明器具５に配設されている。
【００３２】
ランプ装着検出回路５ｃは放電ランプ７が照明器具本体６の給電部である図示しない給電ソケットまたは給電コネクタに装着されているか否かを検出するものであり、副制御装置５ｂから所要の電力を受電して駆動し、図示しないランプ装着検出リミットスイッチからのランプ装着検出信号を受けて放電ランプが給電ソケットに装着されているか否かを検出する機能を有する。
【００３３】
ランプ装着検出リミットスイッチは、例えばマイクロスイッチからなり、そのプランジャの往復動により反転開閉する接点を有し、このプランジャを給電ソケットに配設している。この給電ソケットに放電ランプの口金が装着されたときに、その口金に押圧されたプランジャにより、開閉接点を閉じてランプ装着信号を出力する一方、未装着のときにはプランジャが放電ランプの口金により押圧されずに接点を開のままにして放電ランプ７の未装着を検出する。
【００３４】
しかし、このランプ装着検出装置５ｃは、給電ソケットに放電ランプ７が装着されたときの装着位置に光を照射し、その反射光の有無によりランプ装着の有無を検出する光学式でもよく、その検出方法には限定されない。
【００３５】
このランプ装着検出信号またはランプ未装着検出信号は副制御装置５ｂに与えられる。副制御装置５ｂは、このランプ装着または未装着検出信号を受けたときに、これら検出信号を負荷線４を介して点灯装置３の主制御装置３ａに電力搬送する機能を有する。
【００３６】
また、副制御装置５ｂはタイマー５ｂ１を具備しており、点灯装置３から点灯信号を受信したときに、始動回路５ａから高圧始動パルス（始動電圧）を出力させると共に、このタイマー５ｂ１を起動して所定時間経過したときに、始動回路５ａから出力している高圧始動パルスの当該出力を停止させる。これは、放電ランプ７の始動（点灯）時には、高電圧を印加する必要があるが、一旦点灯した後は不要であり、所定時間高圧始動パルスを印加しても点灯しない場合は何らかの不具合が発生していると考えられるからである。
【００３７】
次に、この照明装置１の作用を説明する。
【００３８】
まず、操作器８により放電ランプ７を点灯させる操作を行なうと、この点灯操作信号が点灯装置３の主制御装置３ａに与えられる。主制御装置３ａは、この点灯操作信号を受けて、点灯装置３の電源装置からの印加電圧を周期的に種々変化させる所要のパターンに基づく点灯信号を生成し、かつ所定高周波の搬送波に重畳して負荷線４に伝送し、これとほぼ同時、またはその後、放電ランプ７の点灯に必要な電圧の電力を給電する。
【００３９】
この点灯信号と点灯電力は負荷線４を介して照明器具５の始動回路５ａと副制御装置５ｂとに与えられ、始動回路５ａで高圧の始動パルスが生成され、副制御装置５ｂは、タイマー５ｂ１を起動する。点灯電力は始動回路５ａを介して照明器具５の放電ランプ７に与えられる。
【００４０】
このために、放電ランプ７が点灯（始動）され、点灯電力が引き続き給電されて点灯が継続される。始動回路５ａによる高圧パルスの出力は、タイマー５ｂ１により所定時間をタイムアップしたときに、副制御装置５ｂにより停止される。
【００４１】
そして、操作器８により放電ランプ７の点灯を消灯させる消灯操作や、放電ランプ７の調光を所要の調光度に制御する調光制御等の操作を行なうと、これら消灯，調光操作信号等の操作信号が点灯装置３の主制御装置３ａに与えられ、ここで、印加電圧の変化パターンに基づく所要の消灯，調光等の制御信号が負荷線４を介して照明器具５に与えられる。
【００４２】
このために、照明器具５の始動回路５ａを介して消灯信号や調光信号が放電ランプ７に与えられ、この放電ランプ７が消灯または調光される。
【００４３】
なお、照明器具５が天井９等所定の設置箇所に設置されている状態では、ランプ装着検出装置５ｃが照明器具５の図示しない給電ソケットや給電コネクタに放電ランプ７が装着されているか否かを常時検出し、その検出結果、すなわち、ランプ装着信号またはランプ未装着信号が副制御装置５ｂから負荷線４を介して点灯装置３の主制御装置３ａに伝送される。主制御装置３ａは、これらランプ装着信号またはランプ未装着信号を受けて、これらランプ装着またはランプ未装着を図示しない表示器に表示させると共に、ランプ未装着検出時に電力の給電を停止、または、高圧パルスを発生させる制御信号の送出を行なわない。
【００４４】
したがって、この照明装置１によれば、点灯装置３から始動回路５ａを分離し、この始動回路５ａを照明器具５側に配設したので、点灯装置３も照明器具５側に配設する場合に比して、照明器具５の小形軽量化を図ることができる。
【００４５】
このために、例えば照明器具５を昇降可能に構成する場合には、その昇降負荷を軽減させることができる。
【００４６】
また、点灯装置３から始動回路５ａと放電ランプ７に与えられる点灯信号や調光信号等の制御信号は、電力線である負荷線４を介して伝送させることができるので、専用の信号線を省略することができる。
【００４７】
さらに、放電ランプ７を有する照明器具５側に始動回路５ａを設けたので、この始動回路５ａを放電ランプ７に接続する配線を短くすることができる。
【００４８】
このために、始動回路５ａから出力された高圧パルス等の始動電圧が放電ランプ７に到達するまでに減衰する減衰量を大幅に低減することができる。
【００４９】
また、制御信号は、その種類に応じて印加電圧の周期的変化のパターンが相違する簡単な信号であるので、点灯装置３側でこれら制御信号を生成する回路の簡単化を図ることができる。
【００５０】
さらに、放電ランプ７は、その始動（点灯）時に高圧の始動電圧の印加が必要であるが、その始動（点灯）後は不要であるので、始動電圧の出力は副制御装置５ｂにより停止される。このために、節電を図ることができる。
【００５１】
また、照明器具５側のオンオフ制御スイッチ５ａ１により、始動回路５ａから出力される始動電圧の出力をオンまたはオフすることができる。
【００５２】
このために、照明器具５の放電ランプ７の交換等メンテナンスの際に、点灯装置３によらず、照明器具５側で、オンオフ制御スイッチ５ａ１のオフ操作により高圧の始動電圧の出力を遮断させることにより、メンテナンスの際に高圧の始動電圧により作業員が感電するのを未然に防止することができる。
【００５３】
さらに、ランプ装着検出装置５ｃが放電ランプ７の給電ソケット等への未装着を検出すると、この検出信号が照明器具５側の副制御装置５ｂから負荷線４を介して点灯装置３側の主制御装置３ａへ搬送される。
【００５４】
このために、点灯装置３側では、照明器具５側の始動回路５ａや放電ランプ７側への給電を停止させることができる。
【００５５】
一方、ランプ装着検出装置５ｃにより放電ランプ７が照明器具本体６の給電ソケットや給電コネクタ等に装着されていることを検出したときには、点灯信号や調光信号等の制御信号が点灯装置３から負荷線４を介して始動回路５ａや放電ランプ７に与えることができる。
【００５６】
また、ランプ装着検出装置５ｃにより、放電ランプの未装着が検出されたときには、始動回路５ａから放電ランプ７へ出力される始動電圧の出力を停止させる。このために、仮に点灯装置３から始動回路５ａに点灯信号が与えられ、点灯電力が給電されても、始動回路５ａから始動電圧の出力が停止されるので、照明器具本体６の放電ランプ７の点灯が中断される。このために、ランプ交換等のメンテナンス時の感電を未然に防止できる。
【００５７】
図２は本発明の第２の実施形態に係る照明装置１Ａの構成を示すブロック図である。この照明装置１Ａは、前記図１で示す照明装置１において、照明器具５に昇降装置５ｄを配設した点に主な特徴を有する。
【００５８】
昇降装置５ｄは、例えば天井９等に締結ボルト等により固着されたハウジング５ｄ１と、このハウジング５ｄ１内に配設されて、照明器具本体６を吊持するワイヤロープ５ｄ２を巻き上げまたは繰り出す電動巻取りドラム５ｄ３とを具備している。
【００５９】
照明器具５は、図中左右一対の可動側接点６ａ，６ｂを固着しており、上昇端の天井９まで上昇したときの通常モード時に、左右一対の固定側接点１０ａ，１０ｂと電気的に接触している。これら固定側接点１０ａ，１０ｂは天井９に固定され、負荷線４と電気的に接続されている。
【００６０】
したがって、照明器具５を、その下方の床上等で点検するために、操作器８により、照明器具５を天井９等所定の設置場所から、その下方の床上等に降下させる降下操作を行なうと、この降下操作信号が主制御装置３ａに与えられ、降下制御信号が負荷線４を介して昇降装置５ｄに伝送される。
【００６１】
昇降装置５ｄがこの降下制御信号を受信して、昇降装置５ｄの電動巻取りドラム５ｄ３を動作させ、ワイヤロープ５ｄ２を繰り出す。
【００６２】
このために、照明器具５が降下するので、一対の受電側接点６ａ，６ｂが固定側の給電側接点１０ａ，１０ｂから離反し、電気的に遮断されて床上の所定高さまで降下する。
【００６３】
また、操作器８により照明器具５を上昇させる操作をすることにより、照明器具５を天井９の所要の設置高さまで上昇させ、照明器具５の可動側接点６ａ，６ｂを天井９側の固定側接点１０ａ，１０ｂに接触させた通常モードに復帰させることができる。
【００６４】
照明装置１Ａは、このように昇降装置５ｄにより照明器具５を昇降することができるので、放電ランプ７の交換等照明器具５のメンテナンスの際には、例えば天井９に吊設した照明器具５を床上まで降下させて簡単にメンテナンスすることができる。
【００６５】
また、この照明器具５の降下の際には、その照明器具５側の可動，受電側接点６ａ，６ｂが固定側給電接点１０ａ，１０ｂと離反して電気的接続が遮断されるので、放電ランプ７の交換等のメンテナンスの際の感電を防止することができる。
【００６６】
また、受電側接点６ａ，６ｂおよび給電側接点１０ａ，１０ｂが始動回路５ａに対して、負荷線４側に配設しているため、始動電圧がこれら接点１０ａ，１０ｂ、６ａ，６ｂを介して放電ランプ７に供給されることがない。このため、これら接点１０ａ，１０ｂ、６ａ，６ｂの接触不良が発生しても始動電圧の印加による発火や発熱を防止することができる。
【図面の簡単な説明】
【００６７】
【図１】本発明の第１の実施形態に係る照明装置の全体構成を示すブロック図。
【図２】本発明の第２の実施形態に係る照明装置の全体構成を示すブロック図。
【符号の説明】
【００６８】
１…照明装置、３…点灯装置、３ａ…主制御装置、４…負荷線、５…照明器具、５ａ…始動回路、５ｂ…副制御装置、５ｂ１…タイマー、５ｃ…ランプ装着検出装置、５ｄ…昇降装置、６…照明器具本体、６ａ，６ｂ…受電側接点、７…放電ランプ、８…操作器、９…天井、１０ａ，１０ｂ…給電側接点。
【図１】
2009021056.tif 000003
【図２】
2009021056.tif 000004